(57)【要約】【課題】  鉄屑、鉄粉、切削屑等の金属片を確実に収集できる収集ブラシを提供する。【解決手段】  本体（１）内に移動可能に磁石を設ける。この磁石により吸着された金属片が付着するよう本体の底部外面に吸着部（１０）を形成する。この吸着部（１０）の側方に、外方が広く内方が狭い開口部（１４）を形成するようブラシを間隔をあけて植設した入口ブラシ列（１２）を設ける。また、上記吸着部（１０）の周囲には、連続的にブラシを植設した側壁ブラシ列（１３）を設ける。上記吸着部（１０）は、側壁ブラシ列よりも植毛密度を高くブラシを植設した隔壁ブラシ列（１１）により区画されている。【選択図】      図１
2006116172.tif 000002
【特許請求の範囲】
【請求項１】
本体内に移動可能に磁石を設け、該本体の底部内面に上記磁石が接しているとき該磁石により吸着された金属片が付着するよう底部外面に吸着部を形成し、該吸着部の側方に外方が広く内方が狭い開口部を形成するよう間隔をあけてブラシを植設した入口ブラシ列を設けると共に周囲にブラシを連続的に植設した側壁ブラシ列を設けた金属片の収集ブラシ。
【請求項２】
上記本体には把持部が連結され、該把持部には、上記磁石を本体の底部から移動させる操作片が設けられている請求項１に記載の金属片の収集ブラシ。
【請求項３】
上記吸着部は、上記入口ブラシ列に沿って延び両端が上記側壁ブラシ列に接する隔壁ブラシ列により区画されている請求項１に記載の金属片の収集ブラシ。
【請求項４】
上記吸着部は凹部に形成されている請求項１または３に記載の金属片の収集ブラシ。
【請求項５】
上記磁石は、リンクを介して支持され、該リンクを回動することにより上記底部に接離可能である請求項１または２に記載の金属片の収集ブラシ。
【請求項６】
上記入口ブラシ列の各ブラシは、内方に底辺を有し、外方に頂点を有する略三角形状に植設されている請求項１に記載の金属片の収集ブラシ。
【発明の詳細な説明】
【技術分野】
【０００１】
本発明は、鉄屑、鉄粉、切削屑等の金属片を収集し、清掃することができる金属片の収集ブラシに関するものである。
【背景技術】
【０００２】
鉄工所、シャーリング工場、建設現場、機械工場その他の金属性の屑、破片等が生じる場所では、磁性体物質、非磁性体物質に関わらず、それらを安全で簡単に収集し、清掃することが望まれている。例えば、切削機械、切断機械等を使用する場所では、切削、切断により金属性の切削屑、粉塵、金属粉等が発生したり、溶断等により多量のヒューム（ごみ）が発生し、従来はほうきで掃いたり、エアブローで吹き飛ばしたり、布等で払拭している。
【０００３】
しかし、従来の方法では、作業中に発生する切削屑、粉塵等が空中に拡散し、作業員の目、鼻、口等に入り込み健康を害するおそれがあった。そして、切削屑、粉塵等が機械と被加工物の間に挟まると、精密な加工が妨げられ、電気部に入り込むとショート等の原因となり、ステンレス等の非磁性体金属に付着すると、もらい錆が生じる原因ともなる。また、作業服などの着衣に付着したまま衣服を洗濯すると、洗濯機内の金属部を錆させることにもなる。
【０００４】
従来、そのような鉄粉等を除去するため磁石により鉄粉等を吸着するようにした手動切粉掃除工具や磁石付ブラシが提案されている（例えば、特許文献１、特許文献２参照）。これらの工具を用いれば、鉄粉等の拡散を防ぐことができるが、狭い場所で使用できずに使い勝手が良くなかったり、ブラシと磁石が別々に設けられているので、ブラッシングしながら、鉄粉等の金属片を収集することができなかった。また、ブラシと磁石を組み合せた金属屋根用掃除具も知られているが（例えば、特許文献３参照）、ブラシが回転するので、ブラッシング効果は得られず、大きな切削屑や切削油等が付着した切削屑等を収集できなかったり、ブラシにからんだり、確実に磁石に付着させることができずに脱落しやすかった。
【特許文献１】実開昭６４−７４２４４号公報（第１図〜第３図）
【特許文献２】実公昭３９−３１６５４号公報（実用新案登録請求の範囲、第１図〜第３図）
【特許文献３】特開平１１−９５３４号公報（請求項１、図４、図５）
【発明の開示】
【発明が解決しようとする課題】
【０００５】
本発明の解決課題は、上記のように鉄屑、切削屑、金属粉等の磁性体や非磁性体の金属片をブラッシングしがら効率よく収集でき、大きな金属片や切削油等等が付着した金属片でも確実に回収することができる金属片の収集ブラシを提供することである。
【課題を解決するための手段】
【０００６】
本発明によれば、本体内に移動可能に磁石を設け、該本体の底部内面に上記磁石が接しているとき該磁石により吸着された金属片が付着するよう底部外面に吸着部を形成し、該吸着部の側方に外方が広く内方が狭い開口部を形成するよう間隔をあけてブラシを植設した入口ブラシ列を設けると共に周囲にブラシを連続的に植設した側壁ブラシ列を設けた金属片の収集ブラシが提供され、好ましくは上記入口ブラシ列の各ブラシは、内方に底辺を有し、外方に頂点を有する略三角形状に植設されている。
【０００７】
また、本発明の上記金属片の収集ブラシは、上記本体に把持部が連結され、該把持部には本体内の磁石を底部から移動させる操作片が設けられている。この磁石は、リンクにより支持され、上記操作片で該リンクを回動することにより、上記底部に接離可能に設けられているが、その他種々の構成により移動可能に設けられる。
【発明の効果】
【０００８】
本発明は上記のように構成され、本体の底部外面に磁石により吸着された金属片が付着する吸着部を形成し、該吸着部の側方に外方が広く内方が狭い開口部を形成するよう間隔をあけてブラシを植設した入口ブラシ列を設けると共に周囲にブラシを連続的に植設した側壁ブラシ列を設けたから、被清掃物に上記本体を当て、上記吸着部の入口ブラシ列側が正面となるように本体を被清掃物に沿って移動させると、被清掃物を入口ブラシ列や側壁ブラシ列によってブラッシングでき、被清掃物に付着した磁性体や非磁性体の金属片を集めることができ、大きな金属片であっても入口ブラシ列に形成された広い開口部を通して吸着部内に容易に取り込むことができ、磁性体の金属片を上記吸着部で吸着することができる。また、上記のように吸着部に取り込まれた金属片は、上記開口部の内方が狭く形成されると共に吸着部の周囲が連続的な側壁ブラシ列で囲まれているから、該吸着部内に確実に閉じ込められ、逃げ出すおそれは少ない。上記吸着部に付着した金属片は、上記磁石を吸着部から離すことにより回収される。
【０００９】
さらに、本体の底部の全体にブラシを植設すると、大きな切削屑等の金属片はブラシに邪魔されて吸着部に入り込めず、磁力で吸着されないことになるが、本発明の収集ブラシは吸着部の周囲や隔壁部分にブラシ列を設けてあるだけで該吸着部の外面は開放されているから、十分な吸着面積を確保でき、ブラッシングに集められた大きな金属片でも確実に吸着部に収集することができる。また、上記側壁ブラシ列よりも植毛密度の高い隔壁ブラシ列を設けておくと、ブラッシング作用が効率的になり、微細な粉塵等の金属片も掃き集めることができ、かつ吸着部内に閉じ込むことができる。
【発明を実施するための最良の形態】
【００１０】
図１〜図４は、本発明の一実施例を示し、本発明の金属片の収集ブラシは、本体（１）と、該本体（１）に連結した把持部（２）を有しているが、把持部を省いて本体（１）を直接把持するようにしてもよい。該本体（１）内には、鉄屑、鉄粉、切削屑等の金属片を吸着するための磁石（３）が設けられ、該磁石（３）は、図２の実線に示すように本体の底部（４）の内面に接する位置と該底部内面から離れる位置（同図鎖線）に移動可能に設けられている。
【００１１】
上記磁石（３）を上記底部内面に接離可能に移動させる機構として、図に示す実施例では、磁石（３）をリンク（５）、（５）で支持し、該リンク（５）、（５）を回動することにより該磁石（３）が底部内面に対してほぼ平行状態で斜め上下方向に移動するようにしてある。なお、上記リンクを回動させる手段として、図２に示す実施例では、上記把持部（２）に設けた開口（６）から操作片（７）を突出し、該操作片（７）と上記磁石（３）を連結部材（８）で連結し、該操作片（７）を矢印（９）方向に移動させて操作するようにしてある。図に示す実施例では、上記操作片（７）と連結部材（８）は、同一部材で一連に形成してあるが、別部材で構成することもでき、また、上記磁石を上下動させたり、底部内面から離れる方向に回動させたり、その他適宜の方向に磁石の移動方向を変えてもよい。
【００１２】
上記本体（１）の底部外面には上記磁石により吸着された金属片が付着するよう吸着部（１０）を形成してあり、該吸着部（１０）は、好ましくは収集量を増やすことができるよう凹部に形成されているが、平面状でもよい。該吸着部（１０）は、本体（１）の底部外面に大きく設けることもできるが、適宜の大きさに区画することもでき、図に示す実施例では、吸着部を２つに分けて該吸着部間にブラシを連続的に植設した隔壁ブラシ列（１１）を設けてある。
【００１３】
上記吸着部（１０）は、側方に設けた入口ブラシ列（１２）と両端に設けた側壁ブラシ列（１３）により周囲を囲まれている。上記入口ブラシ列（１２）は、金属片が吸着部に入りやすく、かつ出にくくするため外方が広く内方が狭い開口部（１４）を形成するよう間隔をあけてブラシを植設してある。特に好ましくは、各ブラシは、内方に底辺を有し外方に頂点を有する略三角形状に植設されているが、上述の如く開口幅を変化させた開口部を形成できる適宜の形状に植設してもよい。
【００１４】
上記側壁ブラシ列（１３）は、吸着部（１０）内に入り込んだ金属片が逃げ出さないようブラシを連続的に植設してある。この植設密度は、上記隔壁ブラシ列（１１）とほぼ同程度でもよいが、隔壁ブラシ列（１１）のブラシを２列に設けて密度を高くすると、ブラッシング効果を高めることができ、微細な粉塵状の金属片でも回収しやすく、一層好ましい。なお、上記隔壁ブラシ列（１１）は、上記入口ブラシ列（１０）に沿って延びているが、ブラッシング効果をさらに高めるため、適宜に配列してもよい。
【００１５】
上記収集ブラシは、被清掃物に本体を当てて上記吸着部（１０）の入口ブラシ列側が正面となるように、すなわち、図４において矢印（１５）方向に移動させてブラッシングする。その際、集められた金属片（１６）は、図５に示すように広口の開口部（１４）から吸着部（１０）に容易に入るが、該開口部の内方が狭く形成されているので、該吸着部からは脱出しにくい。金属片が磁性体の場合、該吸着部で磁石により吸着される。非磁性体の場合には、該吸着部に入り込むが、磁石で吸着されることはない。清掃後は、上記磁石を底部内面から離せば、磁力が弱まり、金属片を吸着部から落下させて収集することができる。
【００１６】
上述したように、磁石は種々の構成により移動させることができ、例えば図６に示すように把持部（２）にレバー（１７）を枢着したり、図７に示すようにスライドボタン（１８）を設け、該レバー（１７）やスライドボタン（１８）に連結部材（８）を連結して上記磁石を移動させてもよい。なお、該磁石（３）は自重で上記底部内面に接するようにしてあるが、適宜部位にばね等を設けて上記底部に接する方向に付勢することもできる。
【図面の簡単な説明】
【００１７】
【図１】本発明の一実施例を示す斜視図。
【図２】断面図。
【図３】本体部分の横断面図。
【図４】底面図。
【図５】図４の一部拡大図。
【図６】他の実施例を示す説明図。
【図７】さらに他の実施例を示す説明図。
【符号の説明】
【００１８】
１    本体
２    把持部
３    磁石
７    操作片
１０    吸着部
１１    隔壁ブラシ列
１２    入口ブラシ列
１３    側壁ブラシ列
１４    開口部
【図１】
2006116172.tif 000003
【図２】
2006116172.tif 000004
【図３】
2006116172.tif 000005
【図４】
2006116172.tif 000006
【図５】
2006116172.tif 000007
【図６】
2006116172.tif 000008
【図７】
2006116172.tif 000009